(57)【要約】      （修正有）【課題】複数のブラシヘッドを流動性なく容易に保管することができ、歯磨きに際しても、分離しないように強固に装着固定し、必要によって、ブラシヘッドを簡便に交換して使用できるようにすること。【解決手段】パッド１２の両側面に装着突起１４が設けられ、パッド１２の上面に複数の歯ブラシ毛１５が設けられた複数のブラシヘッド１０と、ブラシヘッド１０から一体に延在し、先端にブラシヘッド１０のパッド１２が装着固定される装着ヘッド部２２が設けられ、装着ヘッド部２２の反対側の内部に複数のブラシヘッド１０が収納するように、キャップ２４によって開閉される収納空間部２５が設けられる把持台２６を含む歯ブラシ台本体２０とを含む。【選択図】図１
2017170103.tif 000002
【特許請求の範囲】
【請求項１】
パッドの両側面に装着突起が設けられ、前記パッドの上面に複数の歯ブラシ毛が設けられた複数のブラシヘッドと、
先端に前記ブラシヘッドのパッドが装着固定される装着ヘッド部が設けられ、前記装着ヘッド部の反対側の内部に前記複数のブラシヘッドが収納されるように、キャップによって開閉される収納空間部が設けられる把持台を含む歯ブラシ台本体とを含むことを特徴とするブラシヘッドが交換可能な歯ブラシ。
【請求項２】
前記装着ヘッド部には、前面が開放され、前記ブラシヘッドのパッドを装着するために形成される装着溝が設けられ、前記装着溝の両側面には、前記装着突起が挿入するそれぞれの挿入溝が設けられることを特徴とする請求項１に記載のブラシヘッドが交換可能な歯ブラシ。
【請求項３】
前記装着溝の背面には、前記ブラシヘッドのパッド端が嵌められてチルトされることを防止する支持溝が設けられることを特徴とする請求項２に記載のブラシヘッドが交換可能な歯ブラシ。
【請求項４】
前記パッドと前記支持溝の当接部分は、互いに対応する形態の曲面に形成されることを特徴とする請求項３に記載のブラシヘッドが交換可能な歯ブラシ。
【請求項５】
前記収納空間部の内側面の両側には、収納したブラシヘッドの流動を防止するために、前記ブラシヘッドのパッドの上端が係止するそれぞれの支持突起が設けられることを特徴とする請求項１乃至４の何れか１項に記載のブラシヘッドが交換可能な歯ブラシ。
【発明の詳細な説明】
【技術分野】
【０００１】
本発明は、ブラシヘッドが交換可能な歯ブラシに関し、より詳しくは、複数のブラシヘッドを流動性なく容易に保管することができ、歯磨きに際しても、分離しないように強固に装着固定できるだけでなく、必要によって、ブラシヘッドを簡便に交換して使用できるようにした歯ブラシに関する。
【背景技術】
【０００２】
歯牙は、身体において重要な部分の１つである。このような歯牙を管理する最も重要な要素の１つが、歯磨きである。
【０００３】
歯磨きは、歯ブラシに歯磨き粉をつけた後、その歯ブラシで歯を磨くことである。歯ブラシと、歯磨き粉が内蔵した歯磨きチューブとを別に備えた状態で、歯磨き粉を絞り出して歯ブラシ毛につけた後、歯を磨くのが普通である。
【０００４】
通常、歯ブラシは、歯ブラシ毛が形成されたブラシヘッドと、前記ブラシヘッドから一体に延在し、使用者が取って歯磨きできるようにした歯ブラシ台とが一体に形成される。
【０００５】
このような歯ブラシは、一定の時間が経過すると、歯ブラシ毛が開くか、摩耗して、効率的な歯磨きが行われない。そうになると、歯ブラシ全体を交換しなければならないという不都合が生じる。
【０００６】
前記のような問題点を解決するために、従来の先行技術である大韓民国特許第10-0966828号公報(以下、'特許文献１'という)には、交換歯ブラシ台の歯ブラシ毛組立バーを押し込むと、ロック爪によって簡単に締結され、交換時には、ボタン部によってキーリングをロック爪方向に進行させ、ロック爪と歯ブラシ毛組立バーとの締結を解除して、交換歯ブラシ台を取っ手から外す歯ブラシ毛交換用の歯ブラシを開示する。
【０００７】
また、大韓民国特許第10-1217895号公報(以下、'特許文献２'という)には、ブラシヘッドに歯ブラシ毛や汚れ(歯石)を落とすブラシ又は舌に生じる汚れ(舌苔)を落とす除去刃のいずれかが回転しながら強固に装着されて、歯磨きや汚れを落とすとき、歯ブラシ毛やブラシ、又は除去刃が抜けることなく、使い勝手が向上することは勿論、商品性を向上することができ、歯ブラシ毛やブラシ、又は除去刃の回転によって、ヘッドから容易に分離することができるので、交換が簡単であり、使い勝手の良いブラシ交換が可能な歯ブラシを開示する。
【０００８】
更に、大韓民国公開実用新案第20-2013-0007199号公報(以下、'特許文献３'という)には、歯ブラシ毛と本体とがネジ式で結合し、これと共に歯磨き粉の使用ができるように構成されており、携帯、保管において、歯ブラシ毛が本体の内部に挿入するように構成して、交換が容易であり、資源の浪費及び環境汚染を低減することができ、コストが節減され、外部環境から歯ブラシ毛の汚れが防止され、歯ブラシと共に歯磨き粉を携帯、保管、及び使用するブラシ交換が可能な歯ブラシを開示する。
【０００９】
また、大韓民国公開特許第10-2014-0148155号公報(以下、'特許文献４'という)には、ブラシヘッドの台形溝状のレール部と、歯ブラシ毛の台形突起状の結束部とを摺動方式で結束して、ブラシヘッドと歯ブラシ毛とを簡便で且つ安定的に結束することができる歯ブラシ毛交換型の歯ブラシを開示する。
【先行技術文献】
【特許文献】
【００１０】
【特許文献１】大韓民国特許第10-0966828号公報
【特許文献２】大韓民国特許第10-1217895号公報
【特許文献３】大韓民国公開実用新案第20-2013-0007199号公報
【特許文献４】大韓民国公開特許第10-2014-0148155号公報
【発明の概要】
【発明が解決しようとする課題】
【００１１】
しかし、特許文献１は、技術的構成が複雑な構造を有することで、製造コストが高くなるという不都合がある。また、特許文献１は、使用が煩わしいだけでなく、歯ブラシ毛を含む歯ブラシ台の全体を交換しなければならないので、経済的な損失も大きいという不都合がある。
【００１２】
また、特許文献２は、比較的簡単な構造の歯ブラシ毛を保管することが煩わしくて不便であるだけでなく、歯磨き粉成分が結合部に固着する場合、容易に分離しないという不都合を有する。
【００１３】
更に、特許文献３は、本体から、その本体に対応する大きさに形成された第１のヘッド全体を交換しなければならないので、経済的な損失が大きいという不都合を有する。
【００１４】
また、特許文献４は、歯ブラシ毛がブラシヘッドに結合した状態で歯磨きするとき、歯ブラシ毛がブラシヘッドから容易に分離するという不都合を有する。
【００１５】
本発明の目的は、前記のような従来の問題点を解決するためになされたものであって、複数のブラシヘッドを流動性なく容易に保管することができ、歯磨きに際しても、分離しないように強固に装着固定することができ、必要によって、ブラシヘッドを簡便に交換して使用できるようにしたブラシヘッドが交換可能な歯ブラシを提供することである。
【００１６】
本発明の他の目的は、ブラシヘッドの装着固定に際して、ブラシヘッドが緊密に密着固定できるようにすることである。
【課題を解決するための手段】
【００１７】
前記のような技術的課題を解決するために、本発明は、パッドの両側面に装着突起が設けられ、前記パッドの上面に複数の歯ブラシ毛が設けられた複数のブラシヘッドと、先端に前記ブラシヘッドのパッドが装着固定される装着ヘッド部が設けられ、前記装着ヘッド部の反対側の内部に前記複数のブラシヘッドが収納するように、キャップによって開閉される収納空間部が設けられる把持台を含む歯ブラシ台本体とを含むことを特徴とする。
【００１８】
前記装着ヘッド部には、前面が開放され、前記ブラシヘッドのパッドを装着するために形成される装着溝が設けられ、前記装着溝の両側面には、前記装着突起が挿入するそれぞれの挿入溝が設けられる。
【００１９】
前記装着溝の背面には、前記ブラシヘッドのパッド端が嵌められてチルトされることを防止する支持溝が設けられる。
【００２０】
前記パッドと前記支持溝の当接部分は、互いに対応する形態の曲面に形成される。
【００２１】
前記収納空間部の内側面の両側には、収納したブラシヘッドの流動を防止するために、前記ブラシヘッドのパッドの上端が係止するそれぞれの支持突起が設けられる。
【発明の効果】
【００２２】
本発明によると、複数のブラシヘッドを流動性なく容易に保管することができ、歯磨きに際しても、分離しないように強固に装着固定することができ、必要によって、ブラシヘッドを簡便に交換して使用することができるので、ブラシヘッドの交換において煩わしさや不便さなく、短時間内に迅速に行うことができる。これによって、使用の便利性が提供され、経済性も優れている。
【００２３】
また、ブラシヘッドの装着固定に際して、ブラシヘッドが緊密に密着固定されるので、歯磨きも効率よく行われるという効果がある。
【図面の簡単な説明】
【００２４】
【図１】図１は、本発明の１実施例によるブラシヘッドが交換可能な歯ブラシの分解斜視図である。
【図２】図２は、図１の歯ブラシが結合した状態の断面図である。
【図３】図３は、図１の歯ブラシの使用状態を説明するための断面図である。
【発明を実施するための形態】
【００２５】
以下、本発明の好適な実施例を添付の図面を参考して詳細に説明すると、以下の通りであり、本発明が実施例に制限・限定されることではない。
【００２６】
図１は、本発明の１実施例によるブラシヘッドが交換可能な歯ブラシの分解斜視図であり、図２は図１の歯ブラシが結合した状態の断面図であり、図３は、図１の歯ブラシの使用状態を説明するための断面図である。
【００２７】
本発明は、歯磨きの効率性及び経済性を考えて、ブラシヘッドが交換可能な歯ブラシを提供する。
【００２８】
本発明によると、複数のブラシヘッドを流動性なく容易に保管することができ、歯磨きに際しても、分離しないように強固に装着固定できるだけでなく、必要によって、ブラシヘッドを簡便に交換して使用することができる。
【００２９】
本発明の１実施例によるブラシヘッドが交換可能な歯ブラシ１は、複数のブラシヘッド１０と、歯ブラシ台本体２０とを設ける。それぞれのブラシヘッド１０には、パッド１２と、複数の歯ブラシ毛１５とが設けられる。パッド１２の両側面には、装着突起１４が形成される。複数の歯ブラシ毛１５は、パッド１２の上面に設けられる。歯ブラシ台本体２０の先端には、装着ヘッド部２２が形成される。装着ヘッド部２２には、ブラシヘッド１０のパッド１２が装着固定される。歯ブラシ台本体２０は、把持台２６を含む。把持台２６には、収納空間部２５が設けられる。収納空間部２５は、装着ヘッド部２２の反対側の内部に複数のブラシヘッド１０が収納されるように、キャップ２４によって開閉される。装着ヘッド部２２と把持台２６との間は、ブラシヘッド１０よりも狭い幅で連結され、これによって、歯磨きにおける異物感を最小化する。
【００３０】
歯ブラシ１を用いた歯磨きは、歯ブラシ台本体２０の装着ヘッド部２２をブラシヘッド１０のパッド１２に装着し、該当歯ブラシ毛１５に歯磨き粉を塗布した後に行われる。歯ブラシ１を歯磨きに持続的に一定の期間使用してから、歯ブラシ毛が摩耗または開くことになると、装着ヘッド部２２からブラシヘッド１０を分離し、把持台２６の収納空間部２５に設けられた他のブラシヘッド１０を引出して、装着ヘッド部２２に装着することで、ブラシヘッド１０を煩わしさや不便さなく、簡単で且つ迅速に交換して使用することができる。
【００３１】
換言すると、歯ブラシ毛１５が摩耗又は開くことになると、歯ブラシ１の全体を交換することではなく、歯ブラシ台本体２０の装着ヘッド部２２からブラシヘッド１０のみを分離して交換することができるので、経済性に優れている。
【００３２】
さらに、装着ヘッド部２２に装着したブラシヘッド１０が煩わしさや不便さなく、簡単でかつ迅速に交換することができるので、より便利に使用可能な便宜性が提供される。
【００３３】
装着ヘッド部２２は、装着溝２２аと挿入溝２２ｂとを有する。装着溝２２аは、ブラシヘッド１０のパッド１２を装着するために、パッド１２に対応する大きさに設けられる。ブラシヘッド１０の装着が容易に行われるように、装着溝２２аの前面は、開放される。挿入溝２２ｂは、装着溝２２aの両側面に設けられる。それぞれの挿入溝２２ｂには、装着突起１４が挿入される。
【００３４】
まず、ブラシヘッド１０のパッド１２の先端を装着溝２２аに挿入した後、そのパッド１２の両側面に設けられた装着突起１４を、装着ヘッド部２２の両側面に設けられた挿入溝２２ｂに挿入することで、ブラシヘッド１０の装着が簡単で便利に行われる。
【００３５】
さらに、パッド１２の先端が装着溝２２аの内側面に当接支持された状態で、そのパッド１２の両側面に設けられた装着突起１４が、挿入溝２２ｂに挿入支持されることで、ブラシヘッド１０が、歯磨き時にも、装着溝２２аから離隔・分離することなく、安定して装着固定される。
【００３６】
ブラシヘッド１０を装着溝２２аから分離しようとするときは、ブラシヘッド１０を取って、挿入溝２２ｂに挿入した装着突起１４を離隔した後に、装着溝２２аからブラシヘッド１０を持ち上げることで、ブラシヘッド１０が煩わしさや不便さなく、簡単で且つ迅速に分離することができる。
【００３７】
装着溝２２аは、その背面に、ブラシヘッド１０のパッド１２の先端が挿入してチルトされることを防止するための支持溝２２а'を有する。パッド１２と支持溝２２а'の当接部分は、互いに対応する形態の曲面に形成される。
【００３８】
装着溝２２аの背面が垂直面に形成されると、ブラシヘッド１０を固定して歯磨きする途中で、ブラシヘッド１０のパッド１２が離隔・離脱することがある。このような離隔・離脱を根本的に防止するために、本発明は、互いに当接する部分に挿入して嵌められる構造を提供する。
【００３９】
換言すると、パッド１２の先端が、装着溝２２аの背面に互いに対応する形態の曲面に形成された支持溝２２а'によって挿入装着した状態では、ブラシヘッド１０のパッド１２が離隔・離脱することが根本的に防止される。それにより、歯磨きを更に安定的に効率よく行うことができると言うメリットがある。
【００４０】
一方、本発明は、歯ブラシ台本体２０の収納空間部２５に収納されたブラシヘッド１０が、歯磨き時に収納空間部２５内で流動することを防止する技術的構成を供する。
【００４１】
すなわち、収納空間部２５の内側面の両側には、収納されたブラシヘッド１０の流動を防止するために、ブラシヘッド１０のパッド１２の上端が係止するそれぞれの支持突起２５аが設けられる。
【００４２】
収納空間部２５にブラシヘッド１０を挿入するに際して、ブラシヘッド１０は、収納空間部２５の内側面の両側に形成された支持突起２５аによって、パッド１２の上端が係止した状態で摺動するように挿入される。それにより、収納空間部２５に挿入したブラシヘッド１０は、歯磨きするに際して、収納空間部２５内で動きなく支持される。
【００４３】
収納空間部２５に収納された複数のブラシヘッド１０が、更に、歯磨き時に流動性なく収納された状態を維持することで、より安定して使用可能な便利性が提供される。
【符号の説明】
【００４４】
１：歯ブラシ
１０：ブラシヘッド
１２：パッド
１４：装着突起
１５：歯ブラシ毛
２０：歯ブラシ台本体
２２：装着ヘッド部
２２а：装着溝
２２а'：支持溝
２２ｂ：挿入溝
２４：キャップ
２５：収納空間部
２６：把持台
【図１】
2017170103.tif 000003
【図２】
2017170103.tif 000004
【図３】
2017170103.tif 000005